(57)【要約】    【目的】  カフスボタンがカフスから抜け落ちてしまうのを効果的に防止することができるカフスボタンであって、デザイン上の自由度を低下させずに装飾具としての価値を高めることが容易なカフスボタンを提供する。    【構成】  ボタン本体１０と、脚部材２０と、ストッパ部材３０とを備えたカフスボタン１００であって、ボタン本体１０に鎖からなる連結具４２を介して結合され、垂直状態のストッパ部材３０及び脚部材２０を挿入可能な挿入穴４４を有する抜け止め台座４０であって、カフスボタンの着用時には、ストッパ部材３０とカフスの裏側との間に配置されて、水平状態のストッパ部材３０が垂直状態に回動するのを阻止する機能を有する抜け止め台座をさらに備えたことを特徴とするカフスボタン。【選択図】  図１
0003103472.tif 000002
【実用新案登録請求の範囲】
【請求項１】
カフスの表側に位置することとなるボタン本体と、
このボタン本体に設けられ、カフスのボタン穴に通されることとなる脚部材と、
この脚部材の先端に回動可能に取り付けられ、垂直状態でカフスのボタン穴を通過可能となり、水平状態でカフスボタンをカフスに固定することが可能となるストッパ部材と、
前記ボタン本体又は前記脚部材に連結具を介して結合され、垂直状態の前記ストッパ部材及び前記脚部材を挿入可能な挿入穴を有する抜け止め台座であって、カフスボタンがカフスに固定された状態のときには、前記ストッパ部材とカフスの裏側との間に配置されて、水平状態の前記ストッパ部材が垂直状態に回動するのを阻止する機能を有する抜け止め台座とを備えたことを特徴とするカフスボタン。
【請求項２】
請求項１に記載のカフスボタンにおいて、
前記抜け止め台座は、カフスボタンがカフスに固定された状態のときには、前記ストッパ部材とカフスの裏側との間で、前記ストッパ部材側に突出するように構成された凸面を有することを特徴とするカフスボタン。
【請求項３】
請求項２に記載のカフスボタンにおいて、
前記抜け止め台座は、前記ストッパ部材からの圧力が前記凸面に印加されると前記凸面が撓むように構成された板ばね機能を有することを特徴とするカフスボタン。
【請求項４】
請求項２又は３に記載のカフスボタンにおいて、
前記抜け止め台座は、平面的に見て、水平状態の前記ストッパ部材を覆うような大きさを有することを特徴とするカフスボタン。
【請求項５】
請求項１〜４のいずれかに記載のカフスボタンにおいて、
前記抜け止め台座の挿入穴は、垂直状態の前記ストッパ部材及び前記脚部材の形状に対応した形状を有することを特徴とするカフスボタン。
【考案の詳細な説明】
【技術分野】
【０００１】
本考案はカフスボタンに関する。
【背景技術】
【０００２】
カフスボタンは、シャツの袖口（カフス）の両ボタン穴に通してとめる実用と装飾とを兼ねたボタンである。カフスボタンは、通常、ボタン本体と、このボタン本体の裏面に一体的に設けられた脚部材と、この脚部材の先端に取り付けられた回動可能なストッパ部材とから構成されている。
カフスボタンをカフスに取り付ける場合には、ストッパ部材を垂直状態に回動させてからこのストッパ部材及び脚部材を両ボタン穴に通し、その後、ストッパ部材を水平状態に回動させてボタン穴が延びる方向と直交するように配置する。このようにすれば、カフスがボタン本体とストッパ部材とによって挟まれるようになるため、確実にカフスボタンをカフスに取り付けることができる。一方、カフスボタンをカフスから取り外す場合には、ストッパ部材を垂直状態に回動させる。このようにすれば、カフスボタンの脚部材及びストッパ部材をカフスのボタン穴から引き抜くことによって、容易にカフスボタンをカフスから取り外すことができる。
【０００３】
しかしながら、カフスボタンをカフスに取り付けた状態であっても、何らかの外力が加わってストッパ部材が水平状態から垂直状態に回動すると、カフスボタンを取り外す場合と同様の状態となるため、カフスボタンがカフスから抜け落ちてしまうおそれが生じてしまう。このため、これを防止するため、通常ストッパ部材と脚部材との間には水平状態を保持するためのばね機構が設けられている。しかしながら、カフスボタンに強い外力が加わった場合などにおいては、ばね機構だけでは水平状態を保持することができなくなるため、ばね機構を設けるだけではカフスボタンがカフスから抜け落ちてしまうのを防止するには十分ではないという問題があった。
【０００４】
図７は、このような問題を解決するために提案された、従来のカフスボタンを説明するために示す図である（例えば、特許文献１参照。）。図７（ａ）は従来のカフスボタンを斜め上方から見た斜視図であり、図７（ｂ）は斜め下方から見た斜視図である。図８は、従来のカフスボタンの取り付け過程を説明するための図である。図８（ａ）は抜け止めリング装着前の状態を示す図であり、図８（ｂ）は抜け止めリング装着後の状態を示す図であり、図８（ｃ）は取り付け完了状態を示す図であり、図８（ｄ）はカフスボタンのカフス表側の取り付け状態を示す図である。なお、以下の説明において、カフスの表側とはカフスボタン本体が現れる側のことをいい（図８（ｄ）のＯ１参照。）、カフスの裏側とは、カフスボタンのストッパ部材が現れる側のことをいう（図８（ｃ）のＯ２参照。）。
【０００５】
従来のカフスボタン９００は、図７（ａ）及び図７（ｂ）に示すように、カフスＡ（図８（ａ）〜図８（ｄ）参照。）の表側に位置することとなるボタン本体９１０と、ボタン本体９１０に設けられ、カフスＡのボタン穴Ｂ（図８（ａ）〜図８（ｄ）参照。）に通されることとなる脚部材９２０と、水平状態と垂直状態とを切り換えることができるように脚部材９２０の先端に回動可能に取り付けられ、水平状態でカフスＡの裏側に位置することとなるストッパ部材９３０とを備えている。そして、このカフスボタン９００は、脚部材９２０に通されてストッパ部材９３０とカフスＡの裏側との間に配置され、水平状態のストッパ部材９３０が垂直状態に回動するのを阻止するための抜け止めリング９４４をさらに備えている。そして、この抜け止めリング９４４は、着用時に抜け止めリング９４４が常にストッパ部材９３０に押し付けられるように弾性復帰機能を有するバンドからなる連結具９４２によってボタン本体９１０に連結されている。
【０００６】
このため、この従来のカフスボタン９００によれば、カフスボタン９００の着用時（カフスボタン９００がカフスＡに固定された状態のとき）には、抜け止めリング９４４が弾性復帰機能を有するバンドからなる連結具９４２によって常にストッパ部材９３０に押し付けられるようになるため、水平状態のストッパ部材９３０が垂直状態に回動するのが効果的に阻止されるようになり、カフスボタン９００がカフスＡから抜け落ちてしまうのを効果的に防止することができる。
【０００７】
しかしながら、この従来のカフスボタン９００においては、連結具として、弾性復帰機能を有するバンドからなる連結具９４２を用いているため、カフスボタンの着用時に連結具の形状が常に円弧状となり（図８（ｃ）参照。）、デザイン上の制限が大きく装飾具としての価値を高めることが容易ではないという問題があった。
【０００８】
そこで、抜け止めリングの連結具として、弾性復帰機能を有するバンドからなる連結具９４２に代えて、弾性復帰機能を有しないもの（例えば鎖や紐。）を用いることが考えられる。図９は、連結具として弾性復帰機能を有しない鎖を用いた、従来の他のカフスボタンを説明するために示す図である。
従来の他のカフスボタン９００Ｂによれば、図９に示すように、連結具として、弾性復帰機能を有しない鎖からなる連結具９４６を用いているため、従来のカフスボタン９００の場合とは異なり、カフスボタンの着用時に連結具の形状が円弧状に制限されることがなくなるため、デザイン上の制限が緩和され装飾具としての価値を高めることが容易になる。
【０００９】
【特許文献１】特開平１１−３４６８０８号公報（図１〜図８）
【考案の開示】
【考案が解決しようとする課題】
【００１０】
しかしながら、従来の他のカフスボタン９００Ｂにおいては、カフスボタン９００Ｂの着用時（カフスボタン９００ＢがカフスＡに固定された状態のとき）には、連結具として、弾性復帰機能を有しない鎖からなる連結具９４６を用いているため、この鎖からなる連結具９４６によっては抜け止めリング９４４がストッパ部材９３０に押し付けられることがなくなる。このため、カフスボタン９００Ｂに強い外力が加わった場合などにおいては、水平状態のストッパ部材９３０が垂直状態に回動するのを確実には阻止することができなくなり、カフスボタン９００ＢがカフスＡから抜け落ちてしまうのを効果的に防止することができなくなる。
【００１１】
そこで、本考案は、上記のような問題を解決するためになされたものであり、カフスボタンに強い外力が加わった場合などにおいても、カフスボタンがカフスから抜け落ちてしまうのを効果的に防止することができるカフスボタンであって、かつ、デザイン上の自由度を低下させずに装飾具としての価値を高めることが容易なカフスボタンを提供することを目的とする。
【課題を解決するための手段】
【００１２】
（１）本考案のカフスボタンは、カフスの表側に位置することとなるボタン本体と、このボタン本体に設けられ、カフスのボタン穴に通されることとなる脚部材と、この脚部材の先端に回動可能に取り付けられ、垂直状態でカフスのボタン穴を通過可能となり、水平状態でカフスボタンをカフスに固定することが可能となるストッパ部材と、前記ボタン本体又は前記脚部材に連結具を介して結合され、垂直状態の前記ストッパ部材及び前記脚部材を挿入可能な挿入穴を有する抜け止め台座であって、カフスボタンの着用時には、前記ストッパ部材とカフスの裏側との間に配置されて、水平状態の前記ストッパ部材が垂直状態に回動するのを阻止する機能を有する抜け止め台座とを備えたことを特徴とする。
【００１３】
このため、本考案のカフスボタンによれば、カフスボタンの着用時（カフスボタンがカフスに固定された状態のとき）には、抜け止め台座がストッパ部材とカフスの裏側との間に配置されて、水平状態のストッパ部材が垂直状態に回動するのを阻止することができるようになるため、カフスボタンがカフスから抜け落ちてしまうのを効果的に防止することができるようになる。
【００１４】
また、本考案のカフスボタンによれば、水平状態のストッパ部材が垂直状態に回動するのを阻止するために、抜け止め台座の機能を用いているため、従来のカフスボタン９００のように、弾性復帰機能を有するバンドからなる連結具９４２を用いる必要がなくなる。このため、カフスボタンの着用時における連結具の形状が円弧状である必要がなくなり、デザイン上の自由度を低下させずに装飾具としての価値を高めることが容易となる。
【００１５】
さらにまた、本考案のカフスボタンによれば、上記のような抜け止め台座が連結具を介してボタン本体又は脚部材に結合されているため、抜け止め台座がボタン本体と分離されて紛失してしまうことがなくなるという効果もある。
【００１６】
（２）上記（１）に記載のカフスボタンにおいては、前記抜け止め台座は、カフスボタンの着用時には、前記ストッパ部材とカフスの裏側との間で、前記ストッパ部材側に突出するように構成された凸面を有することが好ましい。
【００１７】
このように構成することにより、カフスボタンの着用時（カフスボタンがカフスに固定された状態のとき）には、抜け止め台座の凸面が、垂直状態に回動しようとするストッパ部材に効果的に圧力をかけることができるようになるため、水平状態のストッパ部材が垂直状態に回動するのを効果的に阻止することができるようになる。このため、カフスボタンがカフスから抜け落ちてしまうのをさらに効果的に防止することができる。
【００１８】
また、カフスボタンに強い外力が加わった場合などにおいて、ストッパ部材が垂直状態に回動しようとしても、抜け止め台座にはストッパ部材側に突出するように構成された凸面が備えられていることより、抜け止め台座の凸面はボタン本体の裏面から常に所定距離だけ離隔されている（浮いている）状態となる。このため、ストッパ部材が垂直状態に回動しようとするのをさらに効果的に阻止することができるようになり、カフスボタンがカフスから抜け落ちてしまうのをさらに効果的に防止することができる。
【００１９】
（３）上記（２）に記載のカフスボタンにおいては、前記抜け止め台座は、前記ストッパ部材からの圧力が前記凸面に印加されると前記凸面が撓むように構成された板ばね機能を有することが好ましい。
【００２０】
上記（２）に記載のカフスボタンにおいては、抜け止め台座の凸面の作用により、ストッパ部材が垂直状態に回動しようとするのを効果的に抑制することができるが、このことは、カフスボタンを取り外すときにストッパ部材を垂直状態に回動させにくくなることを意味し、その結果、カフスボタンを取り外すのが容易ではなくなるという不利益もある。しかしながら、上記のように構成することにより、ストッパ部材からの圧力が抜け止め台座の凸面に印加されると抜け止め台座の板ばね機能により凸面が撓むようになるため、ストッパ部材を垂直状態に回動させるのが容易になり、その結果、カフスボタンを取り外すのを容易にすることができる。
【００２１】
（４）上記（２）又は（３）に記載のカフスボタンにおいては、前記抜け止め台座は、平面的に見て、水平状態の前記ストッパ部材を覆うような大きさを有することが好ましい。
【００２２】
このように構成することにより、カフスボタンの着用時（カフスボタンがカフスに固定された状態のとき）には、抜け止め台座の凸面がボタン本体の裏面から常に所定距離だけ離隔されている（浮いている）状態をより確実に生じさせることができるため、ストッパ部材が垂直状態に回動しようとするのをさらに効果的に阻止することができるようになる。このため、カフスボタンがカフスから抜け落ちてしまうのをさらに効果的に防止することができる。
【００２３】
（５）上記（２）〜（４）のいずれかに記載のカフスボタンにおいては、前記抜け止め台座の挿入穴は、垂直状態の前記ストッパ部材及び前記脚部材の形状に対応した形状を有することが好ましい。
【００２４】
このように構成することにより、抜け止め台座の挿入穴の面積を最小限のものとすることができるため、カフスボタンの着用時（カフスボタンがカフスに固定された状態のとき）に、抜け止め台座の凸面がボタン本体の裏面から離隔される距離が短くなってしまうのを極力抑制することができるため、ストッパ部材が垂直状態に回動しようとするのをさらに効果的に阻止することができるようになる。また、抜け止め台座の挿入穴の面積を最小限のものとすることができるため、垂直状態のストッパ部材及び脚部材が、抜け止め台座から抜け落ちてしまうのを効果的に阻止することができるようになる。このため、カフスボタンがカフスから抜け落ちてしまうのをさらに効果的に防止することができるようになる。
【考案を実施するための最良の形態】
【００２５】
以下、本考案のカフスボタンを図に示す実施の形態に基づいて説明する。
【００２６】
［実施形態１]
図１は、本考案の実施形態１に係るカフスボタンを説明するために示す図である。図１（ａ）はカフスボタンの斜視図であり、図１（ｂ）は、カフスボタンにおけるボタン本体を裏面側から見た図であり、図１（ｃ）は、カフスボタンにおける抜け止め台座を表面（ストッパ部材と接触する面）側から見た図であ。
【００２７】
実施形態１に係るカフスボタン１００は、図１（ａ）〜図１（ｃ）に示すように、カフスの表側に位置することとなるボタン本体１０と、このボタン本体１０に設けられ、カフスのボタン穴に通されることとなる脚部材２０と、この脚部材２０の先端に回動可能に取り付けられ、垂直状態でカフスのボタン穴を通過可能となり、水平状態でカフスボタンをカフスに固定することが可能となるストッパ部材３０とを備えている。
そして、実施形態１に係るカフスボタン１００は、脚部材２０に鎖からなる連結具４２を介して結合され、垂直状態のストッパ部材３０及び脚部材２０を挿入可能な挿入穴４４を有する抜け止め台座であって、カフスボタンの着用時には、ストッパ部材３０とカフスの裏側との間に配置されて、水平状態のストッパ部材３０が垂直状態に回動するのを阻止する機能を有する抜け止め台座４０をさらに備えている。
【００２８】
このため、実施形態１に係るカフスボタン１００によれば、カフスボタン１００の着用時（カフスボタン１００がカフスに固定された状態のとき）には、抜け止め台座４０がストッパ部材３０とカフスの裏側との間に配置されて、水平状態のストッパ部材３０が垂直状態に回動するのを阻止することができるようになるため、カフスボタン１００がカフスから抜け落ちてしまうのを効果的に防止することができるようになる。
【００２９】
また、実施形態１に係るカフスボタン１００によれば、水平状態のストッパ部材３０が垂直状態に回動するのを阻止するために、抜け止め台座４０の機能を用いているため、従来のカフスボタン９００のように、弾性復帰機能を有するバンドからなる連結具９４２を用いる必要がなくなるため、カフスボタンの着用時における連結具の形状が円弧状である必要がなくなるため、デザイン上の自由度を低下させずに装飾具としての価値を高めることが容易となる。
【００３０】
さらにまた、実施形態１に係るカフスボタン１００によれば、上記のような抜け止め台座４０が鎖からなる連結具４２を介して脚部材２０に結合されているため、抜け止め台座４０がボタン本体１０と分離されて紛失してしまうことがなくなるという効果もある。
【００３１】
実施形態１に係るカフスボタン１００においては、鎖からなる連結具４２としては、貴金属（例えば、金。）からなる鎖を好適に用いることができる。また、ボタン本体１０としても、貴金属（例えば、金。）からなる基材を好適に用いることができる。また、ボタン本体１０の表面側には、宝石１２が取り付けられている。このため、実施形態１に係るカフスボタン１００は、装飾具としての価値が極めて高いものとなっている。
【００３２】
このような装飾具としての価値の高いカフスボタン１００であるから、カフスボタン１００がカフスから抜け落ちてしまうのを効果的に防止することができるようになることは、極めて価値のあることとなる。また、このような装飾具としての価値の高いカフスボタン１００であるから、連結具として例えば金の鎖のような連結具を用いることができることは、極めて価値のあることとなる。
【００３３】
図２は、実施形態１に係るカフスボタンを説明するために示す図である。図２（ａ）は非着用時におけるカフスボタンを側方から見た図であり、図２（ｂ）は非着用時におけるカフスボタンを図２（ａ）の場合とは直交する側方から見た図であり、図２（ｃ）は着用時におけるカフスボタンを図２（ａ）と同じ側方から見た図であり、図２（ｄ）は着用時におけるカフスボタンを図２（ｂ）と同じ側方から見た図である。
【００３４】
実施形態１に係るカフスボタン１００においては、図２（ａ）〜図２（ｄ）に示すように、抜け止め台座４０は、カフスボタン１００の着用時には、ストッパ部材３０とカフスの裏側との間で、ストッパ部材３０側に突出するように構成された凸面４０Ａを有している。
【００３５】
このため、実施形態１に係るカフスボタン１００によれば、カフスボタン１００の着用時（カフスボタン１００がカフスに固定された状態のとき）には、抜け止め台座４０の凸面４０Ａが、垂直状態に回動しようとするストッパ部材３０に効果的に圧力をかけることができるようになるため、水平状態のストッパ部材３０が垂直状態に回動するのを効果的に阻止することができるようになる。このため、カフスボタン１００がカフスから抜け落ちてしまうのをさらに効果的に防止することができる。
【００３６】
また、カフスボタン１００に強い外力が加わった場合などにおいて、ストッパ部材３０が垂直状態に回動しようとしても、抜け止め台座４０にはストッパ部材３０側に突出するように構成された凸面４０Ａが備えられていることより、抜け止め台座４０の凸面４０Ａはボタン本体１０の裏面から常に所定距離だけ離隔されている（浮いている）状態となる。このため、ストッパ部材３０が垂直状態に回動しようとするのをさらに効果的に阻止することができるようになり、カフスボタン１００がカフスから抜け落ちてしまうのをさらに効果的に防止することができる。
【００３７】
実施形態１に係るカフスボタン１００においては、抜け止め台座４０は、ストッパ部材３０からの圧力が凸面４０Ａに印加されると凸面４０Ａが撓むように構成された板ばね機能を有している。
【００３８】
実施形態１に係るカフスボタン１００においては、抜け止め台座４０の凸面４０Ａの作用により、ストッパ部材３０が垂直状態に回動しようとするのを効果的に抑制することができるが、このことは、カフスボタン１００を取り外すときにもストッパ部材３０を垂直状態に回動させにくくなることを意味する。このため、カフスボタン１００を取り外すのが容易ではなくなるという不利益を生じさせることとなる。
しかしながら、上記のように構成することにより、ストッパ部材３０からの圧力が抜け止め台座４０の凸面４０Ａに印加されると抜け止め台座４０の板ばね機能により凸面４０Ａが撓むようになるため、ストッパ部材３０を垂直状態に回動させるのが容易になり、その結果、カフスボタン１００を取り外すのを容易にすることができ、上記した不利益を解消することができる。
【００３９】
実施形態１に係るカフスボタン１００においては、図２（ｄ）に示すように、抜け止め台座４０は、平面的に見て、水平状態のストッパ部材３０を覆うような大きさを有している。
【００４０】
このため、カフスボタン１００の着用時（カフスボタン１００がカフスに固定された状態のとき）には、抜け止め台座４０の凸面４０Ａがボタン本体１０の裏面から常に所定距離だけ離隔されている（浮いている）状態をより確実に生じさせることができるようになるため、ストッパ部材３０が垂直状態に回動しようとするのをさらに効果的に阻止することができるようになる。このため、カフスボタン１００がカフスから抜け落ちてしまうのをさらに効果的に防止することができる。
【００４１】
実施形態１に係るカフスボタン１００においては、図１（ａ）及び図１（ｃ）に示すように、抜け止め台座４０の挿入穴４４は、垂直状態のストッパ部３０及び脚部材２０の形状に対応した形状を有している。
【００４２】
このため、抜け止め台座４０の挿入穴４４の面積を最小限のものとすることができるため、カフスボタン１００の着用時（カフスボタン１００がカフスに固定された状態のとき）に、抜け止め台座４０の凸面４０Ａがボタン本体１０の裏面から離隔される距離が短くなってしまうのを極力抑制することができる。このため、ストッパ部材３０が垂直状態に回動しようとするのをさらに効果的に阻止することができるようになる。
また、抜け止め台座４０の挿入穴４４の面積を最小限のものとすることができるため、垂直状態のストッパ部材３０及び脚部材２０が、抜け止め台座４０から抜け落ちてしまうのを効果的に阻止することができるようになる。このため、カフスボタン１００がカフスから抜け落ちてしまうのをさらに効果的に防止することができるようになる。
【００４３】
実施形態１に係るカフスボタン１００においては、鎖からなる連結具４２は、図１（ａ）及び図１（ｃ）に示すように、抜け止め台座４０の挿入穴の長軸方向に沿った延長線上に取り付けられている。
【００４４】
図３は、実施形態１に係るカフスボタンの取り付け状態を説明するための図である。図３（ａ）はカフスの裏側から見た図であり、図３（ｂ）はカフスの表側から見た図である。
【００４５】
実施形態１に係るカフスボタン１００は、図３（ａ）及び図３（ｂ）に示すように、カフスに取り付けることができる。この際、鎖からなる連結具４２は、図３（ａ）の場合には従来のカフスボタン９００の場合と同様に、円弧状の形状をしているが、鎖を長くすれば、鎖が自重で垂れ下がるようになり、装飾性を高めることができる。また、鎖を太くすれば重厚な雰囲気が醸し出され、やはり装飾性を高めることができる。この他、鎖として種々の形状のものを用いることができる。
【００４６】
［実施形態２]
図４は、実施形態２に係るカフスボタンを説明するために示す図である。 図４（ａ）はカフスボタンの斜視図であり、図４（ｂ）は、カフスボタンにおけるボタン本体を裏面側から見た図であり、図４（ｃ）は、カフスボタンにおける抜け止め台座を表面（ストッパ部材と接触する面）側から見た図である。
図５は、実施形態２に係るカフスボタンを説明するために示す図である。図５（ａ）は非着用時におけるカフスボタンを側方から見た図であり、図５（ｂ）は非着用時におけるカフスボタンを図５（ａ）の場合とは直交する側方から見た図であり、図５（ｃ）は着用時におけるカフスボタンを図５（ａ）と同じ側方から見た図であり、図５（ｄ）は着用時におけるカフスボタンを図５（ｂ）と同じ側方から見た図である。
図６は、実施形態２に係るカフスボタンの取り付け状態を説明するための図である。図６（ａ）はカフスの裏側から見た図であり、図６（ｂ）はカフスの表側から見た図である。
【００４７】
実施形態２に係るカフスボタン２００は、図４〜図６に示すように、連結具の構成及び抜け止め台座の構成が、実施形態１にかかるカフスボタン１００とは異なっている。
すなわち、実施形態２に係るカフスボタン２００における連結具は、真珠からなる連結具４８である。そして、この真珠からなる連結具４８は、ボタン本体１４に結合されている。
また、実施形態２に係るカフスボタン２００における抜け止め台座４６は、その平面外形形状が円形である。
【００４８】
このように、実施形態２に係るカフスボタン２００は、連結具の構成及び抜け止め台座の構成で、実施形態１にかかるカフスボタン１００とは異なっているが、実施形態１にかかるカフスボタン１００の場合と同様に、垂直状態のストッパ部材３０及び脚部材２０を挿入可能な挿入穴５０を有する抜け止め台座であって、カフスボタンの着用時には、ストッパ部材３０とカフスの裏側との間に配置されて、水平状態のストッパ部材３０が垂直状態に回動するのを阻止する機能を有する抜け止め台座４６を備えているため、カフスボタン２００の着用時（カフスボタン２００がカフスに固定された状態のとき）には、抜け止め台座４６がストッパ部材３０とカフスの裏側との間に配置されて、水平状態のストッパ部材３０が垂直状態に回動するのを阻止することができるようになるため、カフスボタン２００がカフスから抜け落ちてしまうのを効果的に防止することができるようになる。
【００４９】
また、実施形態２に係るカフスボタン２００によれば、実施形態１に係るカフスボタン１００の場合と同様に、水平状態のストッパ部材３０が垂直状態に回動するのを阻止するために、抜け止め台座４６の機能を用いているため、従来のカフスボタン９００のように、弾性復帰機能を有するバンドからなる連結具９４２を用いる必要がなくなるため、カフスボタンの着用時における連結具の形状が円弧状である必要がなくなるため、デザイン上の自由度を低下させずに装飾具としての価値を高めることが容易となる。
【００５０】
さらにまた、実施形態２に係るカフスボタン２００によれば、実施形態１に係るカフスボタン１００の場合とは異なるが、抜け止め台座４６が真珠からなる連結具４８を介してボタン本体１４に結合されているため、抜け止め台座４６がボタン本体１４と分離されて紛失してしまうことがなくなるという効果もある。
【００５１】
実施形態２に係るカフスボタン２００においては、真珠からなる連結具４８としては、紐に真珠を通したものを用いている。また、ボタン本体１４としては、貴金属（例えば、金。）からなる基材を用いている。また、ボタン本体１４の表面側には、宝石１６が取り付けられている。このため、実施形態２に係るカフスボタン２００も、実施形態１に係るカフスボタン１００の場合と同様に、装飾具としての価値が極めて高いものとなっている。
【００５２】
このような装飾具としての価値の高いカフスボタン２００であるから、カフスボタン２００がカフスから抜け落ちてしまうのを効果的に防止することができるようになることは、極めて価値のあることとなる。また、このような装飾具としての価値の高いカフスボタン２００であるから、連結具として例えば金の鎖のような連結具を用いることができることは、極めて価値のあることとなる。
【００５３】
実施形態２に係るカフスボタン２００においては、実施形態１に係るカフスボタン１００の場合と同様に、抜け止め台座４６がカフスボタン２００の着用時には、ストッパ部材３０とカフスの裏側との間で、ストッパ部材３０側に突出するように構成された凸面４６Ａを有している。
また、実施形態２に係るカフスボタン２００においては、実施形態１に係るカフスボタン１００の場合と同様に、抜け止め台座４６は、ストッパ部材３０が凸面４６Ａに押し付けられると凸面４６Ａが撓むように構成された板ばね機能を有している。
【００５４】
また、実施形態２に係るカフスボタン２００においては、実施形態１に係るカフスボタン１００の場合と同様に、抜け止め台座４６は、平面的に見て、水平状態のストッパ部材３０を覆うような大きさを有している。
【００５５】
また、実施形態２に係るカフスボタン２００においては、実施形態１に係るカフスボタン１００の場合と同様に、抜け止め台座４６の挿入穴５０は、垂直状態のストッパ部３０及び脚部材２０の形状に対応した形状を有している。
【００５６】
このため、実施形態２に係るカフスボタン２００においても、実施形態１に係るカフスボタン１００の場合と同様の効果を得ることができる。
【図面の簡単な説明】
【００５７】
【図１】実施形態１に係るカフスボタンを説明するために示す図である。
【図２】実施形態１に係るカフスボタンを説明するために示す図である。
【図３】実施形態１に係るカフスボタンの取り付け状態を説明するための図である。
【図４】実施形態２に係るカフスボタンを説明するために示す図である。
【図５】実施形態２に係るカフスボタンを説明するために示す図である。
【図６】実施形態２に係るカフスボタンの取り付け状態を説明するための図である。
【図７】従来のカフスボタンを説明するために示す図である。
【図８】従来のカフスボタンの取り付け過程を説明するための図である
【図９】従来の他のカフスボタンを説明するために示す図である。
【符号の説明】
【００５８】
１０，１４…ボタン本体、１２，１６…装飾用の宝石、２０…脚部材、２２…支持ピン、３０…ストッパ部材、４０，４６…抜け止め台座、４０Ａ，４６Ａ…凸面、４２…鎖からなる連結具、４４，５０…挿入穴、４８…真珠からなる連結具、１００、２００，９００，９００Ｂ…カフスボタン、９１０…ボタン本体、９２０…脚部材、９３０…ストッパ部材、９４２…弾性復帰機能を有するバンドからなる連結具、９４４…抜け止めリング、９４６…鎖からなる連結具、Ａ…カフス、Ｂ…ボタン穴
【図１】
0003103472.tif 000003
【図２】
0003103472.tif 000004
【図３】
0003103472.tif 000005
【図４】
0003103472.tif 000006
【図５】
0003103472.tif 000007
【図６】
0003103472.tif 000008
【図７】
0003103472.tif 000009
【図８】
0003103472.tif 000010
【図９】
0003103472.tif 000011